(57)【要約】【課題】電線が端子部に接続されたか否かを簡単に確認可能とする。【解決手段】器具本体１内には電線挿入孔１１を通して挿入された電線を速結式で接続する端子部４０が設けられる。また、表示部８２が器具本体１の外へ突出する位置と器具本体１の外へ突出しない位置との間で移動自在に器具本体１内に収納され、端子部４０に接続された電線により駆動されて器具本体１の外へ突出しない位置から器具本体１の外へ突出する位置に移動する表示部材８０を備える。すなわち、電線を電線挿入孔１１に挿入して端子部４０に接続すれば、表示部材８０が非突出位置から突出位置に移動して表示部８２が器具本体１の外へ突出するから、従来例のように確認窓を覗かなくても、表示部材８０（表示部８２）が器具本体１の外へ突出しているか否かによって電線が端子部４０に接続されたか否かを簡単に確認できる。【選択図】        図１
2005100860.tif 000002
【特許請求の範囲】
【請求項１】
絶縁材料からなり電線挿入孔が設けられた器具本体と、器具本体内に設けられて電線挿入孔を通して挿入された電線を速結式で接続する端子部と、一部が器具本体の外へ突出する位置と器具本体の外へ突出しない位置との間で移動自在に器具本体内に収納され、端子部に接続された電線により駆動されて器具本体の外へ突出しない位置から器具本体の外へ突出する位置に移動する表示部材とを備えたことを特徴とする配線器具。
【請求項２】
複数の端子部が器具本体内に設けられるとともに、各端子部に接続される電線によって駆動される複数の表示部材が器具本体内に収納され、複数の表示部材が一体に形成されたことを特徴とする請求項１記載の配線器具。
【請求項３】
表示部材は、器具本体の外へ突出しない位置にあるときに器具本体内に設けられた被係止部と弾性係止する係止部を具備することを特徴とする請求項１記載の配線器具。
【請求項４】
端子部は、操作された際に変位して電線の接続状態を解除する解除部材を具備し、表示部材は、解除部材の変位する部位と当接し当該部位によって器具本体の外へ突出する位置から突出しない位置に押駆動される当接部を具備することを特徴とする請求項１記載の配線器具。
【請求項５】
端子部は、端子板と、ばね力を利用して端子板との間で電線を狭持するとともに反挿入方向への電線の移動を規制する規制手段とを具備し、解除部材は、器具本体の外に露出して手動操作される操作部と、器具本体内に枢支されて操作部を回動自在とする軸部と、軸部を支点に操作部が手動操作で回動したときに操作部とともに回動して規制手段による規制を解除する規制解除手段とを具備することを特徴とする請求項４記載の配線器具。
【請求項６】
端子部は、端子板と、ばね力を利用して端子板との間で電線を狭持するとともに反挿入方向への電線の移動を規制する規制手段とを具備し、表示部材は、器具本体内において電線の挿入方向に沿って端子板と対向する位置に配置され、端子板の表示部材と対向する対向面に電線を挿通する挿通部を設けるとともに挿通部の周囲の対向面を平坦面としたことを特徴とする請求項１記載の配線器具。
【発明の詳細な説明】
【技術分野】
【０００１】
本発明は、スイッチやコンセントのような配線器具、特に速結式の端子部を有する配線器具に関するものである。
【背景技術】
【０００２】
従来、スイッチやコンセントのような配線器具においては、結線作業の簡略化を主な目的として電線を接続する端子部に速結式の端子構造（所謂ねじ無し端子）を採用していた。この種の端子構造では、器具本体の背面に設けた電線挿入孔に電線を挿入するだけで電線の接続と抜け止めが行われるが、電線挿入孔への電線の挿入量が不十分であると接触不良等の不具合が生じる虞があった。
【０００３】
一方、上述の速結式の端子構造はスイッチやコンセントのような配線器具のみならず他の電気機器、例えば、ブレーカなどにも採用されている（特許文献１参照）。ここで、特許文献１に記載されているブレーカでは、電線挿入孔への電線の挿入量が十分であって端子部に正しく接続されたか否かを表示する表示部材を備えていた。この表示部材は、ブレーカの器体内に移動自在に設けられ、電線挿入孔への電線の挿入量が規定量を満たす場合に器体に設けた表示窓に対向する表示位置に移動し、表示窓を通して器体の外から視認できるようになっている。
【特許文献１】特開２０００−２１５９２７号公報
【発明の開示】
【発明が解決しようとする課題】
【０００４】
しかしながら、特許文献１に記載されている接続完了表示機構では器体に設けられた表示窓を覗いて表示部材の位置を確認しなければならず、確認作業が煩わしいという問題があった。
【０００５】
本発明は上記事情に鑑みて為されたものであり、その目的は、電線が端子部に接続されたか否かを簡単に確認できる配線器具を提供することにある。
【課題を解決するための手段】
【０００６】
請求項１の発明は、上記目的を達成するために、絶縁材料からなり電線挿入孔が設けられた器具本体と、器具本体内に設けられて電線挿入孔を通して挿入された電線を速結式で接続する端子部と、一部が器具本体の外へ突出する位置と器具本体の外へ突出しない位置との間で移動自在に器具本体内に収納され、端子部に接続された電線により駆動されて器具本体の外へ突出しない位置から器具本体の外へ突出する位置に移動する表示部材とを備えたことを特徴とする。
【０００７】
この発明によれば、従来例のように確認窓を覗かなくても、表示部材が器具本体の外へ突出しているか否かによって電線が端子部に接続されたか否かを簡単に確認できる。
【０００８】
請求項２の発明は、請求項１の発明において、複数の端子部が器具本体内に設けられるとともに、各端子部に接続される電線によって駆動される複数の表示部材が器具本体内に収納され、複数の表示部材が一体に形成されたことを特徴とする。
【０００９】
この発明によれば、部品点数を削減して組立作業の省力化やコストダウンが図れる。
【００１０】
請求項３の発明は、請求項１の発明において、表示部材は、器具本体の外へ突出しない位置にあるときに器具本体内に設けられた被係止部と弾性係止する係止部を具備することを特徴とする。
【００１１】
この発明によれば、端子部に電線が接続されていないときに係止部が器具本体内に設けられた被係止部と弾性係止して表示部材を器具本体に仮固定できて位置決めが可能となる。
【００１２】
請求項４の発明は、請求項１の発明において、端子部は、操作された際に変位して電線の接続状態を解除する解除部材を具備し、表示部材は、解除部材の変位する部位と当接し当該部位によって器具本体の外へ突出する位置から突出しない位置に押駆動される当接部を具備することを特徴とする。
【００１３】
この発明によれば、解除部材を用いて端子部と電線の接続状態を解除すれば、表示部材が器具本体の外へ突出しない位置に押駆動されて復帰するから、復帰ばねなどの部材を用いることなく表示部材を元の位置（器具本体の外へ突出しない位置）に復帰させることができる。
【００１４】
請求項５の発明は、請求項４の発明において、端子部は、端子板と、ばね力を利用して端子板との間で電線を狭持するとともに反挿入方向への電線の移動を規制する規制手段とを具備し、解除部材は、器具本体の外に露出して手動操作される操作部と、器具本体内に枢支されて操作部を回動自在とする軸部と、軸部を支点に操作部が手動操作で回動したときに操作部とともに回動して規制手段による規制を解除する規制解除手段とを具備することを特徴とする。
【００１５】
この発明によれば、復帰ばねなどの部材を用いることなく表示部材を元の位置（器具本体の外へ突出しない位置）に復帰させることができる。
【００１６】
請求項６の発明は、請求項１の発明において、端子部は、端子板と、ばね力を利用して端子板との間で電線を狭持するとともに反挿入方向への電線の移動を規制する規制手段とを具備し、表示部材は、器具本体内において電線の挿入方向に沿って端子板と対向する位置に配置され、端子板の表示部材と対向する対向面に電線を挿通する挿通部を設けるとともに挿通部の周囲の対向面を平坦面としたことを特徴とする。
【００１７】
この発明によれば、器具本体内で表示部材の配置スペースを広く採ることができて表示部材の設計の自由度が増える。
【発明の効果】
【００１８】
本発明によれば、従来例のように確認窓を覗かなくても、表示部材が器具本体の外へ突出しているか否かによって電線が端子部に接続されたか否かを簡単に確認できるという効果がある。
【発明を実施するための最良の形態】
【００１９】
以下、本発明をコンセントに適用した実施形態について図面を参照して詳細に説明する。但し、本発明に係る配線器具はコンセントに限定されるものではなく、例えばスイッチなどのコンセント以外の配線器具にも本発明の技術思想が適用可能であることは言うまでもない。
【００２０】
（実施形態１）
本実施形態のコンセントは、図１および図２に示すように耐トラッキング性に優れた熱硬化性合成樹脂を用いて前面が開放された直方体状に形成されたボディ１０と、同じく耐トラッキング性に優れた熱硬化性合成樹脂を用いて後面が開放された直方体状に形成されたカバー２０とを結合して構成される器具本体１を備えている。
【００２１】
ボディ１０は長手方向に沿って設けられた複数の仕切壁１２により内部空間が３分されている。また、カバー２０内にも仕切壁（図示せず）が形成され、ボディ１０とカバー２０とを結合するとボディ１０およびカバーの仕切壁１２によって器具本体１の内部空間が独立した３室（収納室１３ａ、１３ｂ、１３ｃ）に分割される。また、両端の収納室１３ａ、１３ｃはスリット１２ａを有する一対の仕切壁１２ｂによってボディ２の長手方向に沿ってさらに３室に分割されている。
【００２２】
カバー２０の前壁には平行平型栓刃を有する所謂Ａタイプのプラグと平行ピン型栓刃を有する所謂ＢＳタイプのプラグの双方が接続可能な所謂ユニバーサルタイプの差込部２４1と、所謂Ｏ（オウ）タイプのプラグが接続可能な差込部２４2とが並設されている。ユニバーサルタイプの差込部２４1は、平板状の平型栓刃が差し込まれる平型栓刃挿入口２５ａと、丸ピン状のピン型栓刃が差し込まれるピン型栓刃挿入口２５ｂとを連通させた形状に形成された一対の挿入口２５1からなる。つまり、平型栓刃挿入口２５ａは矩形状であって、長手方向の中間部の一側縁に円状のピン型栓刃挿入口２５ｂが連通した形状になっている。また、平型栓刃挿入口２５ａの中心間の距離よりも、ピン型栓刃挿入口２５ｂの中心間の距離の方が広くなっている。Ｏタイプの差込部２４2は接地極を含む３つの平型栓刃が挿入される３個の平型栓刃挿入口２５ｃ，２５ｃ，２５ｄを有し、接地極の平型栓刃が挿入される平型栓刃挿入口２５ｄの両側に残り（電圧極）の平型栓刃挿入口２５ｃ，２５ｃが逆ハ字形に配置されて構成される。
【００２３】
また、ユニバーサルタイプの差込部２４1に差し込まれる平型栓刃若しくはピン型栓刃を受けるユニバーサルタイプの刃受３１Ａと、Ｏタイプの差込部２４2に差し込まれる電圧極の平型栓刃を受けるＯタイプの刃受３１Ｂとが端子板４１の両側に設けられてなる２つの刃受ブロック３０Ａ，３０Ｂが、ボディ１０内において両端の収納室１３ｃ，１３ａにそれぞれ収納される。但し、一方の収納室１３ｃに収納される刃受ブロック３０Ａと、他方の収納室１３ａに収納される刃受ブロック３０Ｂとは鏡像の関係にあるので、一方の刃受ブロック３０Ａについてのみ説明する。
【００２４】
ユニバーサルタイプの刃受３１Ａは、互いに対向する先端部にてピン型栓刃を挟持する一対の刃受ばね３２と、両刃受ばね３２の一方の側面同士を連続一体に結合するコ字状の連結片３４と、連結片３４より突出し両刃受ばね３２の前記側面に対向する刃受ばね３３とを具備する。Ｏタイプの刃受３１Ｂは、互いに対向する先端部にて平型栓刃を挟持する一対の刃受ばね３２と、両刃受ばね３２の一方の側面同士を連続一体に結合するコ字状の連結片３４とを具備する。
【００２５】
端子板４１は、図３に示すように略Ｔ字形の主片４２と、主片４２の幅細の一端側における両側縁から後方へ垂下された一対の接触片４３と、主片４２の幅太の他端側における両側縁から後方へ垂下された略Ｊ字形の一対の鎖錠片４４とを有し、弾性を有する帯状の金属板を加工して接触片４３の先端部と鎖錠片４４の先端部がそれぞれ交差するように折り曲げて一体に形成される。接触片４３にはほぼ平坦な面を有して電線に弾接する接触部４３ａと、電線の挿入方向に沿った接触部４３ａの両側において電線を押圧する一対の押圧部４３ｂ，４３ｃとが設けられ、押圧部４３ｃと主片４２の間には後述する電線挿入孔１１と対向し電線が挿通される挿通部４１ａが形成されている。また、接触片４３に対して内側に位置する鎖錠片４４には、電線を接触部４３ａの方へ押圧するとともに電線の一部に食い込んで抜け止めする鎖錠部４４ａと、鎖錠部４４ａよりも接触片４３に近づく向きに突出する受け部４４ｃとが先端に並設され、鎖錠部４４ａよりも後方の部位に電線（接触片４３）から離れる向きに凸となる曲げ部４４ｂが設けられている。なお、鎖錠部４４ａが接触片４３に対向するとともに受け部４４ｃが接触片４３と対向しないように接触片４３の幅寸法が鎖錠片４４の幅寸法のおよそ半分に設定されている。上述のように構成される電圧極用の刃受ブロック３０Ａ，３０Ｂは、各刃受３１Ａ，３１Ｂを長手方向両端の区画にそれぞれ収納し、端子板４１を長手方向中央の区画に収納するようにしてボディ１０両端の収納室１３ｃ，１３ａに納められる。
【００２６】
一方、ボディ１０内において中央の収納室１３ｂにはＯタイプの接地極用の栓刃ブロック３０Ｃが収納される。接地極用の栓刃ブロック３０Ｃは、Ｏタイプの差込部２４2に対応する接地極の刃受３１Ｃが端子板４１’に結合されて構成される。Ｏタイプの接地極用の刃受３１Ｃは、互いに対向する先端部にて栓刃を挟持する一対の刃受ばね３２と、両刃受ばね３２の後端縁を連続一体に結合する連結片３４と、連結片３４の側縁から延設され略鈎形に折曲された帯状の脚片３５と、かしめ用突起３６ａが列設されて脚片３５の先端に設けられる結合片３６とを備える。
【００２７】
端子板４１’は電圧極用の端子板４１とほぼ同一形状に形成され、主片４２と、一対の接触片４３並びに鎖錠片４４とを備え、接触片４３には接触部４３ａと一対の押圧部４３ｂ，４３ｃが設けられるとともに、鎖錠片４４には鎖錠部４４ａと曲げ部４４ｂが設けられている。また、主片４２には刃受３１Ｃの結合片３６に設けられたかしめ用突起３６ａが挿通されるかしめ用孔４２ａが貫設されている。したがって、刃受３１Ｃの結合片３６に突設されているかしめ用突起３６ａを主片４２に貫設されているかしめ用孔４２ａに挿通してかしめることで端子板４１’の主片４２と刃受３１Ｃの結合片３６が結合されて刃受ブロック３０Ｃが構成される。
【００２８】
図２（ｃ）に示すように、ボディ１０の底壁の長手方向略中央にはそれぞれ３つの収納室１３ａ，１３ｂ，１３ｃに連通する各一対の電線挿入孔１１が貫設されている。そして、図４に示すように電線挿入孔１１を通して接触片４３と鎖錠片４４の間に電線１０１を挿入すると、鎖錠片４４の鎖錠部４４ａが電線１０１に食い込むことによって電線１０１が抜け止めされるとともに鎖錠片４４のばね力によって電線１０１が接触片４３の接触部４３ａに弾接し、さらに電線１０１は一対の押圧部４３ｂ，４３ｃによって鎖錠片４４の方へ押圧され、鎖錠部４４ａと一対の押圧部４３ｂ，４３ｃの押圧力が均衡して電線１０１が狭持される。但し、主片４２に近い方の押圧部４３ｃは、後述するように電線１０１を引き抜く際に引っ掛からないように電線１０１と当接する面を面取りしている。
【００２９】
ところで、端子板４１，４１’とともに端子部４０を構成する解除釦６０が各収納室１３に配設される。解除釦６０は合成樹脂成型品からなり、図５に示すように棒状の操作部６１と、半円板状の軸部６２ａを有する本体部６２と、操作部６１の中央から突出して本体部６２と連結する連結部６４と、本体部６２より軸部６２ａと反対側に突出する略扇形の支持部６５と、本体部６２の両側面より突出する略三角柱状の押動部６３，６３とが一体に形成されている。そして、図７に示すようにボディ１０に設けられた軸受け台１４に軸部６２ａが載置され、収納室１３に収納される端子板４１の主片４２に支持部６５が当接することで軸部６２ａが回動自在に支持される。
【００３０】
一方、ボディ１０の長手方向中央の両側面には各収納室１３ａ，１３ｃと通じる縦溝１５が設けられており、解除釦６０は縦溝１５を通して連結部６４並びに操作部６１がボディ１０の外に露出され、一対の押動部６３，６３が端子板４１の鎖錠片４４における受け部４４ｃと対向し、収納室１３ａ，１３ｃ内に設けられた軸受け台１４に軸部６２ａを載置することにより、軸部６２ａを支点に器具本体１の前後方向（図１における上下方向）に沿って回動自在に各収納室１３ａ，１３ｃに配設される。
【００３１】
また、図２（ｃ）に示すようにボディ１０底面の略中央に後方へ突出した突台部３が設けられており、この中央の突台部３にボディ１０内の収納室１３ｃに貫通する電線挿入孔１１が設けられ、ボディ１０底面中央における突台部３の近傍にはボディ１０の内側にくぼんだ凹所４が設けられ、突台部３の凹所４に臨む側面から凹所４の底面に渡って収納室１３ｂに通じる一対の挿通溝５が形成されている。そして、これらの挿通溝５に連結部６４並びに操作部６１を挿通するようにして解除釦６０がボディ１０内の収納室１３ｂにおいて端子板４１’に対向して収納される。
【００３２】
而して、端子部４０に接続された電線を引き抜くには、縦溝１５又は挿通溝５を通して器具本体１の側面に露出している操作部６１を指で押し上げるように操作すればよい。すなわち、操作部６１を前方（図１における上方）へ押し上げるように操作すれば、軸部６２ａを支点にして解除釦６０が回動し、押動部６３，６３でそれぞれ対向する端子板４１，４１’の受け部４４ｃを押圧することにより、電線に食い込んでいる鎖錠部４４ａを電線から離すように鎖錠片４４を撓ませて電線の引き抜きが可能となる。
【００３３】
ところで本実施形態における器具本体１は、ボディ１０とカバー２０との双方に設けた嵌合部６，７に組立部材５０を凹凸嵌合することでボディ１０とカバー２０とを結合して組み立てられる。
【００３４】
ボディ１０の短手方向に対向する両側面には、一対の縦溝１５が設けられた中央部を挟んだ両側に矩形の嵌合部６がそれぞれ突設され、さらに各嵌合部６の前方（図１における上方）には凹溝８がそれぞれ形成されている。一方、カバー２０の短手方向の両側面には、ボディ１０の嵌合部６と同形状且つ同寸法の嵌合部７がそれぞれ突設されている。そして、ボディ１０の開口面にカバー２０を突き合わせた状態では、それぞれの嵌合部６，７が凹溝８を挟んで一列に配置されることになる。
【００３５】
組立部材５０は弾性を有する合成樹脂成型品からなり、嵌合部６，７と嵌合する一対の嵌合孔５１が器具本体１の前後方向（図１における上下方向）に並設された短冊状に形成され、器具本体１と対向する背面側において嵌合孔５１に挟まれた略中央部からは先端に係止爪５２ａを有する係止突片５２が背方へ突設されるとともに、図示しない取付枠やプレートの係合孔と係合する取付爪５３が嵌合孔５１と一列に並ぶように外向きに突設されている。
【００３６】
一方、カバー２０には、ボディ１０の凹溝８から挿入される組立部材５０の係止突片５２が有する係止爪５２ａが係止する被係止部（図示せず）が短手方向に対向する両側壁に形成されている。なお、カバー２０の両側壁の内側における嵌合部７近傍には内側に向かうにつれて後方へ傾斜して係止爪５２ａを被係止部に案内するガイド面が形成されている。
【００３７】
而して、ボディ１０とカバー２０とを結合して器具本体１を組み立てるには、ボディ１０とカバー２０を開口面側で突き合わせた状態で係止突片５２を凹溝８に挿入するように組立部材５０を器具本体１の短手方向両側面の方へ押しつければ、組立部材５０の各嵌合孔５１にボディ１０及びカバー２０の嵌合部６，７がそれぞれ嵌合してボディ１０とカバー２０とが結合されると同時に、係止突片５２の先端に設けた係止爪５２ａがカバー２０のガイド面に沿うように係止突片５２が後方（ボディ１０側）に撓み、やがて係止爪５２ａがカバー２０の被係止部に係止することによって、組立部材５０の嵌合部６，７からの脱落が防止できる。
【００３８】
次に本発明の要旨である端子部４０と電線の接続状態を表示する表示部材８０について説明する。
【００３９】
本実施形態では、互いに鏡像の関係にある２つの表示部材８０，８０と、平面視略Ｔ形の固定部７１と、略放物線状であって２つの表示部材８０，８０と固定部７１を連結する連結片７２とが合成樹脂成型品として一体に形成された表示ブロック７０を器具本体１内に収納している。
【００４０】
表示部材８０は、図１および図６に示すように扁平な矩形板状の主部８１と、主部８１の一端側において後方（図１における下方）へ突出することにより主部８１よりも厚みを大きくしてなる表示部８２と、主部８１の他端側における一方の側端より側方へ突出する駆動部８３と、他方の側端より側方へ突出する腕部８４と、駆動部８３と腕部８４の間から斜め前方へ突出する脚部８５とを具備し、連結片７２の一端が腕部８４の先端に連結されている。駆動部８３の先端部分には前方から後方に向けて表示部８２に近付く向きに傾斜する傾斜面８３ａが設けられている。また脚部８５の先端部分には前方へ突出する係止部８５ａが設けられている。
【００４１】
上述のように構成される表示ブロック７０は、図７に示すように器具本体１の長手方向に沿った両側面中央部に間隔を空けて並設された２つの挿通溝２１に各表示部材８０の表示部８２を挿通し、駆動部８３の傾斜面８３ａを端子板４１の挿通部４１ａを通してボディ１０の電線挿入孔１１に対向させるようにして器具本体１内に収納される。ここで、表示部材８０は挿通溝２１を通して表示部８２が器具本体１の側面から進退自在に突出する方向に移動自在であって、表示部８２が挿通溝２１内に進入して器具本体１の外へ突出しない位置（非突出位置）にあるときにカバー２０内に突設されている突起状の被係止部２２に脚部８５の先端部分に設けられた係止部８５ａが弾性係止することによって非突出位置に位置決めされている。
【００４２】
而して、電線挿入孔１１に挿入された電線１０１が鎖錠部４４ａと一対の押圧部４３ｂ，４３ｃに狭持されて端子板４１と接続されるが、電線１０１を電線挿入孔１１に挿入することで電線１０１の先端が端子板４１の挿通部４１ａを挿通して表示部材８０の駆動部８３の傾斜面８３ａに摺接し、駆動部８３が電線１０１から離れる向きに力を受け、その力で脚部８５が後方へ撓んで係止部８５ａが被係止部２２を乗り越え、表示部８２が器具本体１の外へ退出する向きに表示部材８０が移動することになる。すなわち、図８に示すように電線１０１が端子板４１に接続された状態では挿通溝２１を通して器具本体１の外に表示部８２が突出する位置（突出位置）まで表示部材８０が移動するから、電線１０１が端子板４１に接続されたことを器具本体１の側面に突出する表示部８２で表示することができるものである。そして、電線１０１が端子板４１に接続されている間は駆動部８３と電線１０１の先端部分が干渉しているため、表示部材８０が非突出位置に移動できず、電線１０１の接続完了表示は継続されることになる。そして、解除釦６０を操作して端子板４１との接続を解除し電線挿入孔１１から電線１０１を引き抜けば表示部材８０の移動が規制されなくなり、表示部８２を手で押し込むことで表示部材８０を突出位置から非突出位置に戻すことができる。
【００４３】
上述のように本実施形態では、端子部４０（端子板４１）に接続された電線１０１により駆動されて非突出位置から突出位置に移動する表示部材８０を備えているため、従来例のように確認窓を覗かなくても表示部材８０（表示部８２）が器具本体１の外へ突出しているか否かによって電線１０１が端子部４０に接続されたか否かを簡単に確認できるものである。また、電線接続完了表示機構を持たない配線器具に対して表示部材８０の追加のみで対応できるから、部品費や組立費の追加を最小限に抑えることができるとともに、端子部の構成は何ら変わりがないから、電線接続完了表示機構を持たない配線器具を電線接続完了表示機構を持った配線器具へ容易にグレードアップできるという利点がある。しかも、本実施形態では２つの表示部材８０を表示ブロック７０として一体に形成しているから、２つの表示部材８０を別体とする場合に比較して部品点数を削減し、組立作業の省力化やコストダウンが図れるという利点もある。
【００４４】
ところで、図９に示すように端子板４１の一方の押圧部４３ｃを電線の挿通方向に対して主片４２の対向面（表示部材８０と対向する面）よりも突出させても構わないが、この構成では突出した押圧部４３ｃが表示部材８０と干渉する虞があるから表示部材８０の設計の自由度が減ってしまうことになる。これに対して本実施形態では、図３に示すように押圧部４３ｃを突出させずに主片４２の対向面を平坦面としているから、上記構成に比較して表示部材８０の配置スペースを広く採ることができて表示部材８０の設計の自由度が増えるという利点がある。
【００４５】
（実施形態２）
実施形態１においては、端子部４０との接続を解除して電線挿入孔１１から電線１０１を引き抜いた後に表示部８２を手で押し込むことで表示部材８０を突出位置から非突出位置に復帰させている。これに対して本実施形態では、電線１０１と端子部４０の接続を解除する解除釦６０によって表示部材８０を突出位置から非突出位置に復帰させる点に特徴があり、その他の構成は実施形態１と共通である。よって、実施形態１と共通の構成要素には同一の符号を付して説明および図示を省略する。
【００４６】
本実施形態における解除釦６０は、図１０に示すように連結部６４の端面より支持部６５と平行に突出する略三角形状の駆動片６６が設けられており、それ以外の構成は実施形態１と共通である。また本実施形態における表示部材８０は、腕部８４の先端に外向きに突出する被駆動部８４ａが設けられている。
【００４７】
而して、図１１に示すように駆動片６６の先端部分が表示部材８０の腕部８４に設けられた被駆動部８４ａに当接するように解除釦６０が器具本体１内に収納され、電線１０１と端子部４０の接続を解除するために解除釦６０を回動させると、図１２に示すように解除釦６０の駆動片６６で被駆動部８４ａが押駆動され、表示部材８０を突出位置から被突出位置に復帰させることができる。
【００４８】
上述のように本実施形態では、解除釦６０を操作することで表示部材８０を突出位置から非突出位置に復帰させるようにしたので、実施形態１のように表示部材８０を手で操作する煩わしさがなく、しかも復帰ばねなどの部材を用いずに表示部材８０を非突出位置に復帰させることができるという利点がある。
【図面の簡単な説明】
【００４９】
【図１】実施形態１の分解斜視図である。
【図２】同上を示し、（ａ）は正面図、（ｂ）は右側面図、（ｃ）は背面図、（ｄ）は下面図である。
【図３】同上における端子板の斜視図である。
【図４】同上の端子板に電線が接続された状態を示す要部断面図である。
【図５】同上における解除釦を示し、（ａ）は正面図、（ｂ）は上面図、（ｃ）は右側面図である。
【図６】同上における表示ブロックを示し、（ａ）は正面図、（ｂ）は下面図、（ｃ）は右側面図である。
【図７】同上における端子部を示す要部断面図である。
【図８】同上における表示部材の動作説明図である。
【図９】同上における他の構成の端子板に電線が接続された状態を示す要部断面図である。
【図１０】実施形態２における解除釦の斜視図である。
【図１１】同上における解除釦および表示部材の動作説明図である。
【図１２】同上における解除釦および表示部材の動作説明図である。
【符号の説明】
【００５０】
１  器具本体
１１  電線挿入孔
４０  端子部
４１  端子板
８０  表示部材
８２  表示部
【図１】
2005100860.tif 000003
【図２】
2005100860.tif 000004
【図３】
2005100860.tif 000005
【図４】
2005100860.tif 000006
【図５】
2005100860.tif 000007
【図６】
2005100860.tif 000008
【図７】
2005100860.tif 000009
【図８】
2005100860.tif 000010
【図９】
2005100860.tif 000011
【図１０】
2005100860.tif 000012
【図１１】
2005100860.tif 000013
【図１２】
2005100860.tif 000014